(57)【要約】【課題】  部品点数削減を図った簡単な構造で内部空間を有効に確保できる巻取式シェード装置を提供する。【解決手段】  湾曲したルーフガラス４を室内から覆うシート状のシェード１３と、シェード１３を巻き取る方向へ回転付勢された巻取軸１２とを備える。巻取軸１２は可撓性を有する。巻取軸１２の外側から巻取軸１２をルーフガラス４の湾曲に沿った状態で回転可能に保持する保形用カバーホルダ１５を備える。シェード１３を室内側からガイド支持するように透光性ガイドパネルを備える。【選択図】    図１
2008213696.tif 000002
【特許請求の範囲】
【請求項１】
湾曲した透光性窓を室内から覆うシート状のシェードと、シェードの基端部が取付けられシェードを巻き取る方向へ回転付勢された巻取軸とを備え、前記シェードを引き出し透光性窓の湾曲に沿って配置される巻取式シェード装置において、
前記巻取軸は可撓性を有し、巻取軸の外側から巻取軸を透光性窓の湾曲に沿った状態で回転可能に保持する保形用カバーホルダを備えたことを特徴とする巻取式シェード装置。
【請求項２】
請求項１に記載の巻取式シェード装置において、
前記巻取軸が複数の剛性部とその剛性部の間の柔軟部とからなることを特徴とする巻取式シェード装置。
【請求項３】
請求項２に記載の巻取式シェード装置において、
前記剛性部が、前記巻取軸の両端部に配置されたことを特徴とする巻取式シェード装置。
【請求項４】
請求項１ないし請求項３のいずれかに記載の巻取式シェード装置において、
前記巻取軸を覆う熱収縮チューブが備えられていることを特徴とする巻取式シェード装置。
【請求項５】
請求項１ないし請求項４のいずれかに記載の巻取式シェード装置において、
前記シェードを室内側からガイド支持するように配置された透光性ガイドパネルが備えられていることを特徴とする巻取式シェード装置。
【請求項６】
請求項５に記載の巻取式シェード装置において、
前記透光性ガイドパネルに、前記シェードを引き出す方向に透口を形成したことを特徴とする巻取式シェード装置。
【発明の詳細な説明】
【技術分野】
【０００１】
本発明は、車両のサンルーフ装置等に利用される巻取式シェード装置に関するものである。
【背景技術】
【０００２】
例えば、車両のサンルーフ装置として、屋根部に形成された開口部を透光性のパネルで閉塞する透光性窓を備え、その室内側に遮光用の巻取式シェード装置を備えた構造のものがある。
【０００３】
そして、パネルと同時に巻取式シェード装置を開操作すれば、屋根部の開口部が開放されて採光でき、車内換気や開放感が得られる構造とされ、また、パネルの閉状態で、内側の巻取式シェード装置のみを開操作すれば、パネルを通じて車内に採光でき、開放感のみを味わうことができる構造とされていた。
【０００４】
また、一般に、車両の屋根部は適宜曲率を有する湾曲状とされているため、透光性窓も屋根部に対応して湾曲した構造とされている。これに対し、巻取式シェード装置のシート状シェード生地が巻き取られる巻取軸は通常、直線状の剛性体からなる構造とされており、シェード生地が引き出し操作された閉状態においては、湾曲する透光性窓の内側で、シェード生地が平面状に配置された状態となっていた。
【０００５】
このため、湾曲状の透光性窓と平面状のシェード生地との相互間に必要以上のクリアランスができ、室内空間が狭くなるため、圧迫感を生じる欠点があった。
【０００６】
そこで、このような透光性窓とその内側に配置される巻取式シェード装置との相互間のクリアランスを、より少なくするための構造として、巻取軸を湾曲した状態でシェード生地の引き出し操作や巻き戻し操作を可能としたものが提案されている（例えば、特許文献１参照。）。
【０００７】
【特許文献１】特開平１０−３３１５５６号公報
【発明の開示】
【発明が解決しようとする課題】
【０００８】
前記特許文献１に開示の構造によれば、湾曲した窓ガラスの内側に沿って取り付けられた湾曲状の固定軸と、この固定軸に一定間隔を有して取り付けられた多数のフランジと、これら各フランジの外周面間にまたがって回転可能に取り付けられた可撓性の巻取筒と、巻取筒と固定軸との相互間にわたって配置されたコイルスプリングと、巻取筒に巻き取られたシェード生地の外部を覆うカバー部材とを備え、コイルスプリングの一端部が巻取筒側に固定されると共に他端部が固定軸側に固定されて、巻取筒をシェード生地の巻取方向に付勢する構造とされていた。そして、これら固定軸、多数のフランジおよび巻取筒により、シェード生地を巻き取るための湾曲する巻取軸を構成していた。
【０００９】
従って、巻取軸を構成する部品点数が多く、構造の複雑化を招くという欠点があった。
【００１０】
そこで、本発明の解決しようとする課題は、部品点数削減を図った簡単な構造で内部空間を有効に確保できる巻取式シェード装置を提供することにある。
【課題を解決するための手段】
【００１１】
前記課題を解決するための技術的手段は、湾曲した透光性窓を室内から覆うシート状のシェードと、シェードの基端部が取付けられシェードを巻き取る方向へ回転付勢された巻取軸とを備え、前記シェードを引き出し透光性窓の湾曲に沿って配置される巻取式シェード装置において、前記巻取軸は可撓性を有し、巻取軸の外側から巻取軸を透光性窓の湾曲に沿った状態で回転可能に保持する保形用カバーホルダを備えた点にある。
【００１２】
また、前記巻取軸が複数の剛性部とその剛性部の間の柔軟部とからなる構造としてもよい。
【００１３】
さらに、前記剛性部が、前記巻取軸の両端部に配置された構造としてもよい。
【００１４】
また、前記巻取軸を覆う熱収縮チューブが備えられている構造としてもよい。
【００１５】
さらに、前記シェードを室内側からガイド支持するように配置された透光性ガイドパネルが備えられている構造としてもよい。
【００１６】
また、前記透光性ガイドパネルに、前記シェードを引き出す方向に透口を形成した構造としてもよい。
【発明の効果】
【００１７】
本発明の巻取式シェード装置によれば、巻取軸は可撓性を有し、巻取軸の外側から巻取軸を透光性窓の湾曲に沿った状態で回転可能に保持する保形用カバーホルダを備えた構造とされており、保形用カバーホルダにより巻取軸を所望に湾曲させるため、従来のような湾曲状の固定軸や固定軸に取り付けられる多数のフランジが不要となり、部品点数の削減が図れて構造が簡単となり、しかも内部空間を有効に確保できるという利点がある。
【００１８】
また、巻取軸が複数の剛性部とその剛性部の間の柔軟部とからなる構造とすれば、柔軟部によって巻取軸の撓み変形が有効に確保できる。
【００１９】
さらに、剛性部が、巻取軸の両端部に配置された構造とすれば、その間の柔軟部によって巻取軸を略全体にわたって湾曲させることができる。
【００２０】
また、巻取軸を覆う熱収縮チューブが備えられている構造とすれば、熱収縮チューブにより巻取軸構成部品を容易に連結一体化できる。
【００２１】
さらに、シェードを室内側からガイド支持するように配置された透光性ガイドパネルが備えられている構造とすれば、引き出し操作されたシェードを室内側から透光性ガイドパネルに沿った状態に有効に保持できる。
【００２２】
また、透光性ガイドパネルに、シェードを引き出す方向に透口を形成した構造とすれば、透光性ガイドパネルの透口を利用してシェードの引き出し操作や巻き戻し操作が容易に行える。
【発明を実施するための最良の形態】
【００２３】
以下、本発明の実施形態を図面に基づいて説明すると、図１ないし図６に示されるように、車両１における屋根部２の左右両側に沿って配置された支持フレーム３間にまたがって、前後にルーフガラス４，５がそれぞれ備えられた構造とされている。この際、各ルーフガラス４，５はそれぞれ上方に膨出する適宜曲率を有する湾曲状に形成されており、前側のルーフガラス４は透明度の高いガラスが用いられ、透光性窓を構成している。また、後側のルーフガラス５は透明度が低い、いわゆるスモークガラスが用いられた構造とされている。そして、後側ルーフガラス５の後部にはリアガラス６が備えられ、前側ルーフガラス４の前部には図示省略のフロントガラスが備えられた構造とされている。
【００２４】
また、透光性窓としての前側ルーフガラス４の室内側には、遮光用の巻取式シェード装置１０がネジ等の固着具を介して装着された構造とされている。
【００２５】
この巻取式シェード装置１０は、コイルスプリング１１により巻取方向に付勢された巻取軸１２と、巻取軸１２に一端部が取り付けられ、巻取軸１２の巻取方向の回転により巻取軸１２に巻き取られる遮光性の布等からなる矩形シート状のシェード１３と、シェード１３の引き出し側端部に装着された操作ステー１４と、シェード１３が巻き取られる巻取軸１２を覆う保形用カバーホルダ１５と、保形用カバーホルダ１５が取り付けられると共に引き出し操作されるシェード１３の室内側に位置して、シェード１３をガイド支持する透明な透光性ガイドパネル１６とを備えた構造とされている。
【００２６】
前記巻取軸１２は、図１および図２に示されるように、金属パイプや硬質樹脂パイプ等からなる剛性を有した剛性パイプ体１８と、軟質樹脂パイプやゴムチューブ等からなる撓み変形自在な柔軟パイプ体１９とを交互に配置し、これら各パイプ体１８，１９を覆う熱収縮チューブ２０により連結一体化した筒状軸部材とされている。
【００２７】
この際、剛性パイプ体１８と柔軟パイプ体１９とは同径のパイプとされ、それぞれ適宜長さを有し、本実施形態においては、巻取軸１２の両端部と中央部に剛性パイプ体１８が配置され、各剛性パイプ体１８間に柔軟パイプ体１９が配置された左右対称構造とされている。
【００２８】
ここに、巻取軸１２は柔軟パイプ体１９部分で撓み変形可能となり、全体として可撓性を有した巻取軸１２が構成される。
【００２９】
そして、前記コイルスプリング１１は巻取軸１２内に収容状に配置され、コイルスプリング１１の一端部がスプリングホルダ２２を介して中央の剛性パイプ体１８内面に固定され、コイルスプリング１１の他端部が巻取軸１２の両端部を回転自在に支持する支持ホルダ２３，２４の一方に固定されている。即ち、コイルスプリング１１の一端部がスプリングホルダ２２の係止孔２２ａに係止された状態で、中央の剛性パイプ体１８内に圧入状に挿入装着されて固定状態とされ、コイルスプリング１１の他端部が一方の支持ホルダ２３の支軸部２３ａに形成された係止孔２３ｂに係止されて固定状態とされ、コイルスプリング１１に蓄勢された付勢力により、相対的に巻取軸１２を巻取方向に常時付勢する構造とされている。
【００３０】
また、コイルスプリング１１は、ゴムや軟質樹脂等からなる可撓性の防音チューブ２５が套嵌された状態で、巻取軸１２内に収容されており、巻取軸１２の両端部は、ブッシュ２６を介して各支持ホルダ２３，２４の支軸部２３ａ，２４ａに回転自在に支持された構造とされている。そして、各支持ホルダ２３，２４がそれぞれ透光性ガイドパネル１６にネジ等の固着部により固定された構造とされている。
【００３１】
前記透光性ガイドパネル１６は、透明な樹脂成形体等からなり、湾曲状のルーフガラス４と略平行状に配置されるべく、ルーフガラス４の湾曲形状に対応した曲率を有しており、この透光性ガイドパネル１６の後端部に幅方向に沿って装着される保形用カバーホルダ１５も、ルーフガラス４の湾曲形状に対応した曲率を有する湾曲状に形成されている。そして、保形用カバーホルダ１５内から引き出されるシェード１３の引出口１５ａも同様の曲率を有する湾曲状に構成されている。なお、この引出口１５ａは、保形用カバーホルダ１５のみで構成する構造や、保形用カバーホルダ１５と透光性ガイドパネル１６とで構成する構造であってもよい。
【００３２】
この保形用カバーホルダ１５は金属材、例えばアルミにより押出成形された押出型材等を湾曲状に形成した構造とされている。ここに、保形用カバーホルダ１５内に収容保持されるシェード１３が巻き取られる巻取軸１２は、保形用カバーホルダ１５による形態規制作用により、保形用カバーホルダ１５と同様にその内部で湾曲する形態で回転自在に保持される構造となっている。
【００３３】
また、操作ステー１４は金属材、例えばアルミにより押出成形された押出型材等よりなり、操作ステー１４も保形用カバーホルダ１５と同様に、対応する湾曲状に形成されており、前記透光性ガイドパネル１６の幅方向中央部には、操作ステー１４の幅方向中央部に下向突出状に配置された操作部１４ａが通過可能な透口１６ａが、前後方向に長い細長状に形成されている。
【００３４】
そして、操作ステー１４の前後操作により、保形用カバーホルダ１５内からシェード１３が引き出し操作もしくは巻き戻し操作される構造とされている。この際、引き出されたシェード１３はコイルスプリング１１の巻取方向の付勢力によるテンションによって湾曲状に保持されると共に、その室内側に位置する透光性ガイドパネル１６によっても湾曲状に保持される。また、操作ステー１４の前端操作位置に対応して、操作ステー１４を解除自在に保持するステー保持部１６ｂが透光性ガイドパネル１６の前端部両側にそれぞれ設けられている。なお、本実施形態においては、図４に示されるように、シェード１３の前端部は、幅方向に長さを有する芯棒２８等を介して操作ステー１４の所定位置に連結された構造とされている。
【００３５】
本実施形態は以上のように構成されており、通常は、操作ステー１４がステー保持部１６ｂに保持されたシェード１３の展開状態とされ、採光が必要な場合には、操作ステー１４のステー保持部１６ｂによる保持を解除して、後方に移動させることにより、シェード１３を保形用カバーホルダ１５内の巻取軸１２に巻き取らせた巻取状態とすればよい。また、遮光する場合には、操作ステー１４を前方に移動させれば、シェード１３が順次引き出し操作され、操作ステー１４をステー保持部１６ｂに保持させればよい。
【００３６】
このシェード１３の引き出し操作や巻き戻し操作時における巻取軸１２の回転時において、保形用カバーホルダ１５の形態規制作用により、巻取軸１２はその構成部位である各柔軟パイプ体１９部分で適宜撓み変形して、保形用カバーホルダ１５内で保形用カバーホルダ１５の湾曲形状に沿った所定の弧状形態に絶えず変形される。
【００３７】
以上のように、巻取軸１２はその回転時に柔軟部である各柔軟パイプ体１９部分が撓み変形して、保形用カバーホルダ１５の湾曲に沿った状態に絶えず変形される構造とされているため、巻取軸１２をルーフガラス４に沿った湾曲状態に有効に保持でき、シェード１３操作時における巻取軸１２のばたつきも有効に防止できる。ここに、従来のような湾曲状をした固定軸や固定軸に取り付けられる多数のフランジが不要となり、部品点数の削減によるコスト低減や、構造が簡単となるため、組付性の向上やコンパクト化が図れる利点がある。
【００３８】
また、巻取軸１２を湾曲状態で回転可能に保持する構造としているため、ルーフガラス４の曲率に沿わした状態で、巻取式シェード装置１０を構成でき、ルーフガラス４と巻取式シェード装置１０相互間の無駄なスペースを減少させることができ、車内の内部空間を最大限に有効に確保できるという利点がある。
【００３９】
さらに、操作ステー１４によるシェード１３の開閉操作時においては、保形用カバーホルダ１５における湾曲状の引出口１５ａ周縁部のガイド機能によって、シェード１３の軌道を一定にしたり、シェード１３のしわ発生を抑制できる効果も発揮できる利点がある。
【００４０】
また、操作ステー１４や保形用カバーホルダ１５も、ルーフガラス４や透光性ガイドパネル１６と同様な対応する湾曲状に形成されているため、展開されたシェード１３は巻取軸１２の巻取方向の付勢力により、巻取軸１２と操作ステー１４間でルーフガラス４に沿った湾曲状で所定の張力で張られた状態となる。この際、シェード１３の室内側に、同様の曲率で湾曲状とされた透光性ガイドパネル１６が配置されているため、シェード１３の引き出し操作時や巻き戻し操作時や展開状態において、透光性ガイドパネル１６がシェード１３を室内側よりガイドして支持することにより、シェード１３を所望の湾曲形状で有効にガイドおよび保持できる。
【００４１】
また、透光性ガイドパネル１６に、操作ステー１４の操作部１４ａが操作方向に通過可能な透口１６ａが形成されているため、透口１６ａから室内側に突出する操作部１４ａにより、シェード１３の引き出し操作や巻き戻し操作が容易に行えると共に、簡単な構成で提供できる利点がある。
【００４２】
さらに、交互に配置された各パイプ体１８，１９等の巻取軸１２を構成する部品を熱収縮チューブ２０で覆い、熱収縮させることにより連結一体化する構造であり、容易に連結一体化した巻取軸１２を構成できる。
【００４３】
なお、上記実施形態においては、巻取軸１２における剛性パイプ体１８が両端部と中央部に配置され、各剛性パイプ体１８間に柔軟パイプ体１９が配置された構造とされているが、剛性パイプ体１８の数や柔軟パイプ体１９の数をより多くする構造としてもよい。この場合、巻取軸１２の撓み変形箇所がより多く確保できる。
【００４４】
また、両端部のみを剛性パイプ体１８とし、中間部分を全て柔軟パイプ体１９とする構造としてもよい。この場合、巻取軸１２を略全体にわたって湾曲させることができる。
【００４５】
さらに、剛性パイプ体１８と柔軟パイプ体１９とを交互に配置し、熱収縮チューブ２０で連結一体化した構造を示しているが、全長にわたる柔軟パイプ体の少なくとも両端部に剛性パイプ体１８を圧入固着することによって、剛性部と柔軟部とを有する巻取軸１２を構成する構造としてもよい。
【００４６】
また、上記実施形態においては、巻取式シェード装置１０を車両１の屋根部２に適用した構造を示しているが、透光性窓として、一般的な車両側面等の窓部の内側やその他の異形状の窓部の内側に配置して遮光するためのカーテン装置として適用する構造であってもよく、何ら限定されない。
【００４７】
さらに、ルーフガラス４の室内側に巻取式シェード装置１０を固定した構造を示しているが、開閉式サンルーフ装置の透光性窓の室内側に位置して巻取式シェード装置１０を配置する構造であってもよい。
【００４８】
また、巻取軸１２を支持する各支持ホルダ２３，２４を透光性ガイドパネル１６に固定する構造を示しているが、車体側に固定する構造としてもよい。
【図面の簡単な説明】
【００４９】
【図１】本発明の実施形態における巻取軸部分の分解説明図である。
【図２】同組付け状態の断面図である。
【図３】巻取式シェード装置の主要部斜視図である。
【図４】図３のIV−IV線断面矢視図である。
【図５】巻取式シェード装置の取付け説明図である。
【図６】巻取式シェード装置の組付け状態の断面側面図である。
【符号の説明】
【００５０】
１  車両
２  屋根部
４  ルーフガラス
１０  巻取式シェード装置
１１  コイルスプリング
１２  巻取軸
１３  シェード
１４  操作ステー
１４ａ  操作部
１５  保形用カバーホルダ
１６  透光性ガイドパネル
１６ａ  透口
１８  剛性パイプ体
１９  柔軟パイプ体
２０  熱収縮チューブ
２２  スプリングホルダ
２３  支持ホルダ
２４  支持ホルダ
２５  防音チューブ
【図１】
2008213696.tif 000003
【図２】
2008213696.tif 000004
【図３】
2008213696.tif 000005
【図４】
2008213696.tif 000006
【図５】
2008213696.tif 000007
【図６】
2008213696.tif 000008